(57)【要約】【課題】斜め箱詰台を使用して、同台に配置したダンボール箱への収穫物の箱詰作業、及び箱詰完了後の実入りの箱のトラックやパレットへの横持ち移動と積み込み作業において、作業者の横方向や迂回移動を軽減し、省力化することを課題とする。【解決の手段】一つの方法として箱詰作業が完了した実入りの箱が上り傾斜の空箱受け台の上端部を小さな力で山越できるように補助する山越えローラを空箱受け台の上端部に設け、二つ目の方法として実入りの箱の受け台を空箱受け台の反対側に追加して設け、三つ目の方法として選択した規格のローラコンベアを空箱受け台に設けた山越えローラのすぐ後ろにローラコンベア連結座を設けた。【選択図】図２
2018046754.tif 000002
【特許請求の範囲】
【請求項１】
農作業の現場で収穫物をダンボール箱に箱詰めする際に、
一つ又は複数の空箱を、箱詰作業者の略腰の高さに、作業者に対して縦長に、空箱の開口が作業者に対して斜めになるように配置する斜め箱詰め台にあって、
前記斜め箱詰台は、４本の長さの固定した脚または長さを調整する機能を備えた脚、
傾きを固定した空箱を斜めに置く空箱受け台または傾きを調整する機能を備えた空箱受け台、
及び前記脚と前記空箱受け台を連結固定して一体とする主フレームを主要構成部品とし、
前記空箱受け台は、箱詰作業者の立ち位置側の空箱受け台の下端部に空箱の落下を防止する空箱落下防止桟を備えており、
前記空箱受け台の上端部に前記空箱落下防止桟と平行に、個々の空箱に個別に対応する筒状のローラを設け、
前記ローラは、前記空箱受け台に空箱を配置したときに、同空箱の底面の上部と接し、
箱詰めが終わった実入りの箱は、同箱の作業者側を若干持ち上げると、作業者の手と前記ローラの２点で支えられる構造で、
作業者が実入りの箱を若干持ち上げて、作業者の立ち位置と反対側に押し出した際に、実入りの箱の底面は空箱受け台及びローラの両端を支持するローラ支持部と接触しない構造を備え、
上述のごとく、前記実入りの箱が上り傾斜の前記空箱受け台の上端部を小さな力で山越させることを補助する前記ローラを山越えローラとして備えることを特徴とする山越えローラを備えた斜め箱詰め台。
【請求項２】
請求項１に記載の山越えローラを備えた斜め箱詰め台にあって、
前記主フレームを拡張して、前記空箱受け台の反対側に、新たに実入り箱受け台を設け、
前記実入り箱受け台は前記空箱受け台の勾配とは逆の下り勾配で、前記実入り箱受け台の下端部に実入り箱の落下を防止する実入り箱落下防止桟を備え、
前記箱詰作業者により箱詰が完了し送り出された実入りの箱は、同箱の底面が前記山越えローラに接しながら越え、前期実入りの箱の底面の略中心が前記山越えローラを通過すると、前記実入りの箱の先頭の底面角は降下して前記実入り箱受け台に接して滑りながら降下移動を続け、
前期実入りの箱の後端の底面角が前記山越えローラを外れるまで、実入りの箱の底面全体は前記実入り箱受け台に接しない構造で、
且つ、前期実入りの箱の後端の底面角が前記山越えローラを外れたときに発生する落下による衝撃を小さくするために適した傾斜角度をもって前記実入り箱受け台を設け、
前記実入り箱は、同箱の先頭の底面角が前記実入り箱落下防止桟に当たって停止する構造で、
空箱受け台の正規の位置に空箱を配し、実入り箱受け台の正規の位置に実入りの箱がある場合に、前記の両箱はお互いに接触しない距離を保つ構造を備える、
上述の特徴を備えた山越えローラを備えた斜め箱詰め台。 
【請求項３】
請求項１に記載の山越えローラを備えた斜め箱詰め台にあって、
前記空箱受け台の反対側の前記山越えローラの後ろ側にローラコンベアを連結するローラコンベア連結座を備え、
前記箱詰作業者により、前期箱詰めが終わった実入りの箱が、前記山越えローラ、別途配置する前記ローラコンベアへと順次滑らかに送り出せる構造を特徴とする山越えローラを備えた斜め箱詰め台。
【発明の詳細な説明】
【技術分野】
【０００１】
本発明は、箱詰作業の効率化を図る斜め箱詰台に関する。
【背景技術】
【０００２】
農作業における収穫作業の一環として、収穫物をダンボール箱に詰める作業が有り、生産農家では箱詰め作業及びその前後の作業のさらなる省力化の方策を求めている。
現在の箱詰め作業は箱詰めする場所で三分類でき、
第一の方法は、圃場内に空箱を持ち込み、圃場内で箱詰する方法、
第二の方法は、圃場端のブーム道（圃場内に設けたトラクターや小型トラックの乗入れ道）・農道・公道等で箱詰する方法、
第三の方法は、収穫物を屋根のある作業場に持ち帰り箱詰する方法である。
【０００３】
第一の方法の圃場内での箱詰め作業は更にニ分類でき、
一つは、空箱を適当に圃場内に配し、箱を少しずつずらしたり持ち歩いたり、又は作業者が仮置きした箱まで歩いて箱詰めをする方法と、
他の一つは、四本の車輪と箱を斜めに保持する機能を備えた箱詰め台車を利用し、箱詰めの終わった実入りの箱は圃場内に仮置きして作業を進める方法で、
上記二つの方法は、前工程として空箱の圃場内搬入及び適当なばら撒き配置があり、
後工程として、実入りの箱を圃場外へ搬出する作業とトラック等の運送車両への積み替え作業が有り、
実入りの箱の搬出作業は人力で持ち運んだり、運搬台車を利用したり、最近はローラコンベアの利用が普及し始めているが、
最大の難点は、雨天の場合にダンボール箱が濡れることと底面が汚れることである。
【０００４】
第二の方法の圃場端で箱詰めする方法は、
圃場内で収穫した作物を運搬台車に直接バラ積みし圃場端まで搬出し、
収穫物をバラ積みした運搬台車の近くに斜め箱詰め台を仮置きし、空箱を積んだ運送車両又は空箱自体を仮置きし、実入りの箱を積み込むトラック等の運送車両を配置し、移動の通路を確保する必要があるが、
通行人や他の車両が通るため、それらの配列の自由度は低く、又複数の異なる圃場の異なる作業環境への対応は複雑である。
一般的に、箱詰めする作業（女性が多い）と、トラック等運送車両に積み替える作業（男性が多い）は分業し、箱詰作業者が箱詰めにした実入りの箱を、積み替え作業者が反対側より抜き取り、実入りの箱をトラックに積み替える作業を繰り返すが、
箱詰め作業は箱の傾斜角度（例えば２５度）が大きいほうが楽に行なえるが、積み替え作業者が反対側に抜き取る作業は抵抗が大きくなるので、角度を小さくする場合が多く、
実入りの箱の蓋をする作業は、箱詰作業者がする場合と、積み替え作業者が抜き取った後、プラスチック箱二段重ねの仮置台等に仮置きし、蓋を閉めた後、トラック等運送車両に積み込む。
この方法での作業は、トラック等運送車両の荷台の三方がシートのウイング形式の物が多く、屋根として利用できるので、雨天の影響は受けにくい点と集出荷場に直接運送できる長所がある。
【０００５】
第三の方法の収穫物を屋根のある作業場に持ち帰り、作業場で箱詰する方法は、
作業場まで持ち帰る方法として、
収穫物をバラ積みした運搬台車自体を小型トラックに積み込んで作業場まで持ち帰る方法、
軽トラックや小型トラック等運送車両を直接圃場内に乗入れて（一斉収穫等の条件があるが）移動速度の速い運送車両に収穫物を直接積む方法、
運搬台車にバラで山の様に積み上げて搬出した収穫物を、圃場端でトラック等運送車両に積み替えて、作業場まで持ち帰る方法、又は、大きなプラスチック容器にバラ詰めした物をトラック等運送用車両に積み替えて作業場まで持ち持ち帰る方法等があるが、
作業場は通常は狭く、収穫物を積んだ車両、複数の斜め箱詰台、大量の空箱、少なくとも一枚の広げ置きしたパレット、フォークリフト等を配置して作業を進め、最終的に箱詰した収穫物をパレットに積み上げてフォークリフトでトラック等の出荷用運送車両に積み込み換え、集出荷場まで運ぶが、
フォークリフトの無い場合は、トラック等運送車両の荷台にパレットを配置しておき、同パレットに積み上げるが、
収穫物の一連の移動の軌跡は複雑な場合が多く、作業者の歩行の軌跡も複雑で、移動歩数も多く、
作業の進行途中で、満載になったパレットを運び出すため、又は空のパレットを広げるために、斜め箱詰台、大量の空箱、収穫物を積んだ車両等を仮移動させる場合も多く、作業効率は非常に悪い。
【０００６】
斜め箱詰台を利用する場合、同台に配列するダンボール箱の数は２〜５箱程度が多用されており、通路の確保や配置の都合に合わせ、複数台の組み合わせを工夫している。
又、収穫物個体の大きさの仕分けが必要な場合は、一例をあげると、中心のＬサイズを３箱、Ｓサイズを１箱、ＬＬサイズを１箱並べる５箱配列の斜め箱詰台を用いる場合もあり、Ｓサイズ＆ＬＬサイズは足元に置いたプラスチックの箱等に入れる３箱配列の斜め箱詰台を用いる場合もある。
【先行技術文献】
【特許文献】
【０００７】
【特許文献１】特開２０１５−０６３２９２号公報
【発明の概要】
【発明が解決しようとする課題】
【０００８】
斜め箱詰台を使用して、同台に配置したダンボール箱への収穫物の箱詰作業、及び箱詰完了後の実入りの箱のトラックやパレットへの横持ち移動と積み込み作業において、作業者の横方向や迂回移動を軽減し、省力化することを課題とする。
【課題を解決するための手段】
【０００９】
箱詰作業が完了した実入りの箱が上り傾斜の空箱受け台の上端部を小さな力で山越できるように補助する山越えローラを空箱受け台の上端部に設けた。
（以後、山越えローラを設けた空箱受け台を受け台Ａと表記する）
【００１０】
実入りの箱の受け台を前記空箱受け台の反対側に追加して設けた。
（以後、実入りの箱の受け台を受け台Ｂと表記する）
【００１１】
選択した規格のローラコンベアを前記受け台Ａの山越えローラのすぐ後ろに連結するローラコンベア連結座を設けた。
【発明の効果】
【００１２】
前記受け台Ａの山越えローラは箱詰が完了した実入りの箱、同箱を箱詰め作業者の立ち位置と反対側に送り出すことを容易にし、又箱詰め作業者の反対に位置する積み込み作業者による引抜作業を容易にするので、
前記受け台Ａを備えた斜め箱詰台の単独使用のほか、
前記受け台Ａを備えた斜め箱詰台に、多くの生産農家が既に所有している斜め箱詰台を工夫して、積み込み作業者側に配置すると受け台Ｂとして利用でき、受け台Ａと受け台Ｂを一体で設けたものと同じ効果を期待できる。
【００１３】
前記受け台Ａと受け台Ｂが共に機能することにより、箱詰作業者は自分のペースで箱詰をし、蓋を閉めて反対側に送り出し、空箱の補充をし、箱詰作業を続け、淀み無く箱詰作業ができ、
箱詰作業者の作業が遅れ気味な場合は、箱詰め作業者は蓋をせずに送り出し、積み込み作業者が受け台Ｂの上で蓋をする作業ができるので、両者の作業の手待ちを軽減すことができる。
【００１４】
選択した規格寸法のローラコンベアを山越えローラのすぐ後ろに連結し、ローラコンベアの他端をトラック等運送車両の荷台またはパレットの傍に配置することにより、箱詰作業者の一人作業で、実入りの箱の横持ち作業を軽減できる。
【図面の簡単な説明】
【００１５】
【図１】本発明のダンボール空箱一箱に対応する斜め箱詰台の基準基の概略側面図。
【図２】図１の概略平面図。
【図３】基準基に受け台Ｂを増設し、ダンボール箱を配した概略側面図。
【図４】図３の概略平面図で、ダンボール箱を省略した図。
【図５】基準基にローラコンベア取り付け座を増設し、一部を省略したローラコンベアを配した概略側面図。
【図６】図５の概略平面図で、ローラコンベアを省略した図。
【発明を実施するための形態】
【００１６】
以下、図面を参照しつつ、本発明の実施の形態の一例を説明する。
【００１７】
図１及び図２に示す斜め箱詰台の基準機１１は、小規模農家の省力化、
又は既に既存の斜め箱詰台を所有する生産農家に対応する物で、斜め箱詰台の基準機１１に背中合わせに手持ちの斜め箱詰台を組み合わせると、次に述べる基準基１１に受け台Ｂを設けた斜め箱詰台１２と同じ機能を果たすので、詳細説明は００１８に委ねる。
尚、空箱の配置数を増やす場合は、受け台Ａ及び受け台Ｂの幅を拡張し、山越えローラは個々の空箱に対応するように設ける。
【００１８】
図３及び図４に示す斜め箱詰台の基準基１１に受け台Ｂを設けた斜め箱詰台１２は、
４本の脚１４、受け台Ａ２、受け台Ｂ４及び２本一対の斜め箱詰台の主フレーム１５を主要構成とする。
＜斜め箱詰台の脚＞
前記斜め箱詰台の脚１４は、脚取り付け座１４１、伸縮脚１４２、伸縮脚接地材１４５を主要構成要素とし、
前記脚取り付け座１４１を２個一対として、前記一対の主フレーム１５の一本の両端に連結し、
脚の高さ調整は伸縮脚１４２の高さ調整用ボルト穴１４３及び脚取り付け座１４１の固定用ボルト穴／ボルト１４４の位置を変更して行う。尚、伸縮脚１４２には複数の高さ調整用ボルト穴１４３を設けており、伸縮脚１４２の下端に縮脚接地材１４５を設けている。 
＜受け台Ａと山越えローラ＞
受け台Ａ２は、２本の受け台Ａ下部支柱２３及び２本の受け台Ａ上部支柱２４で勾配を設けて支持し、主フレーム１５に固定されており、
又、受け台Ａ２の箱詰作業者の立ち位置側には空箱落下防止桟２２を設け、反対側の受け台Ａ２の上端部には、前記空箱落下防止桟２２と平行に山越えローラ３を設け、
前記受け台Ａ上部支柱２４の角度調整ボルト穴２４１を組み替えて受け台Ａ２の勾配を変更する構造で、
山越えローラ３は山越えローラ支持軸３１と山越えローラ支持軸の支持ブラケット３２で受け台Ａ２の上端部に支持されている。
受け台Ａの空箱受け面２１の延長面は前記山越えローラ３の上面と接し、ダンボール箱底面の上端部と接するが、ダンボール箱６の底面は多少下に膨出しているので、前記山越えローラ３はダンボール箱６の底面を持ち上げ気味でも良い。
尚、山越えローラ３の筒状のローラの代わりに、二つ以上のホイールを用いても良い。
＜受け台Ｂ＞
受け台Ｂ４は、２本の受け台Ｂ上部支柱４４及び２本の受け台Ｂ下部支柱４３で勾配を設けて支持し、主フレーム１５に固定されており、
受け台Ｂ４は、前記山越えローラ３より下り勾配に設け、勾配の下端に実入り箱落下防止桟４２を設け、
受け台Ｂ４の実入り箱受け面４１の上方への延長面は、山越えローラ上面との接触面より若干低く設定し、
図３の箱６１が箱詰作業者によって送り出され、同箱の底面が前記山越えローラ３に接しながら越え、前記箱６１の底面の略中心が前記山越えローラ３を通過すると、前記箱６１の先頭の底面角は降下して前記受け台Ｂ４の実入り箱受け面４１に接して滑りながら降下移動を続け、
前記の箱６１の後端の底面角が前記山越えローラ３を外れるまで、実入りの箱の底面全体は実入り箱受け面４１に接しない構造で、
前記箱６１は、同箱の先頭の底面角が前記実入り箱の落下を防止する落下防止桟４２に当たって停止するが、
前記実入りの箱６１の後端の底面角が前記山越えローラ３を外れたときに発生する落下による衝撃を小さくするために適した傾斜角度をもって前記受け台Ｂ４を設け、
受け台Ａ４の定位置にある箱６１と受け台Ｂの定位置にある箱６２は、お互いが干渉しないように前記受け台Ａと前記受け台Ｂは前記ダンボール箱６の寸法と共に検討して設ける。
【００１９】
図５及び図６に示す斜め箱詰台の基準基１１にローラコンベア取り付け座として連結軸５５を設けた斜め箱詰台１３は、
基準基１１の受け台Ａ２に取り付けているブラケット３２をブラケット５６に変更して設け、
ブラケット５６は山越えローラ支持軸３１に追加して、同軸３１に平行にローラコンベア連結軸５５を設け、
前記連結軸５５は選択して利用するローラコンベアの一端に備える連結軸と同じ物を用い、
前記連結軸５５にローラコンベア５の連結フック５４を引っ掛けて連結する構造で、
ローラコンベア５の一連のローラ５２の頂面は、同面と山越えローラ３の頂点とは略同一平面になり、概ね水平を標準とし、
前述の前記連結軸５５にローラコンベア５の連結フック５４を引っ掛けて連結した状態では、
連結軸５５と連結フックはヒンジ機能があるので、重力を最適に利用する場合はコンベアは下がり勾配に配し、実施例では３メートルに３度程度下り勾配にすると、ゆっくりと移動していく。
運送車両の荷台の高さが高くて、前記ローラコンベアが逆勾配の上りとなる場合は、受け台Ａ２の勾配を調整して対応し、対応できない場合は、山越えローラ３を増設して複数とし、連結軸５５を高い位置にして対応、山越えローラ３とローラコンベア５の最初のローラの間隔は、ローラコンベアのローラのピッチに準じる。
尚、ローラコンベア５の長手方向を山越えローラ３の軸心方向と同じになるように連結軸５５を備えて、前述のローラコンベア５の搬送方向を水平面で９０度旋回させると、ななめ箱詰め台１３の横方向の両側に搬送方向が選択できる。
【００２０】
（ローラコンベアの基本構造）
ローラコンベア５は左右に平行に配するコンベア主フレーム５１、主フレーム５１に架け渡して設けられるローラ支持軸５３、同支持軸５３に支持されて回動するローラ５２を備え、
ローラコンベア５を複数直列に連結する役目の連結フック５４及び連結軸５５を個々のコンベア５の前後に備えており、
一基のコンベアの一端に備える連結軸５５に次のコンベアの連結フック５４を引っ掛けて連結する。
【００２１】
山越えローラを備えた斜め箱詰め台に備える４本の脚１４に変えて、４本の車輪を備え、人力による移動を容易にすると圃場内での利用も期待できる。
【符号の説明】
【００２２】
１      山越えローラを備えた斜め箱詰台
１１    斜め箱詰台１の基準機
１２    基準基１１に受け台Ｂを設けた斜め箱詰台
１３    基準基１１にローラコンベア連結軸を備えた斜め箱詰台
１４    脚
１４１  脚取り付け座
１４２  伸縮脚
１４３  脚の高さ調整用ボルト穴
１４４  脚固定用ボルト穴／ボルト
１４５  伸縮脚接地材
１５    主フレーム
２      受け台Ａ
２１    空箱受け面
２２    空箱落下防止桟
２３    受け台Ａ下部支柱
２３１  受け台Ａ下部支柱の固定ボルト穴／固定ボルト
２４    受け台Ａ上部支柱
２４１  受け台Ａ上部支柱の角度調整ボルト穴
２４２  受け台Ａ上部支柱の固定ボルト穴／固定ボルト
３      山越えローラ
３１    山越えローラ支持軸
３２    山越えローラ支持軸の支持ブラケット
４      受け台Ｂ
４１    実入り箱受け面
４２    実入り箱落下防止桟
４３    受け台Ｂ下部支柱
４３１  受け台Ｂ下部支柱の固定ボルト穴／固定ボルト
４４    受け台Ｂ上部支柱
４４１  受け台Ｂ上部支柱の角度調整ボルト穴
４４２  受け台Ｂ上部支柱の固定ボルト穴／固定ボルト
５      ローラコンベア
５１    ローラコンベア主フレーム
５２    ローラコンベアのローラ
５３    ローラコンベアのローラ回動支持軸
５４    ローラコンベア連結フック
５５    ローラコンベア連結軸
５６    山越えローラ支持軸及びローラコンベア連結軸取り付けブラケット
６      ダンボール箱
６１    受け台Ａの定位置にある箱
６２    受け台Ｂの定位置にある箱
【図１】
2018046754.tif 000003
【図２】
2018046754.tif 000004
【図３】
2018046754.tif 000005
【図４】
2018046754.tif 000006
【図５】
2018046754.tif 000007
【図６】
2018046754.tif 000008